(57)【要約】【課題】電子機器の使用環境に合わせて操作性の高い情報入力を選択的に行うことができる電子機器の情報入力装置および電子機器の情報入力方法を提供する。【解決手段】操作メニューに対応して設けられており、押圧操作することにより所望の操作を行う操作釦２２と、操作メニューが表示された画面と、この操作メニューが表示された画面上の位置に対応して設けられたホール素子１８ｂを有し、磁気ペン６１によって指示された画面の位置を磁気センサ６１によって検出するホールアレイセンサパネル１８と、水深を検出する圧電素子２４を有し、圧電素子２４の出力に基づいて検出された水深が所定値よりも浅いとき操作釦２２によって押圧操作することにより所望の操作を行い、水深が所定値よりも深いときホールアレイセンサパネル１８に磁気ペン６１よって指示することにより所望の操作を行う電子機器の情報入力装置。【選択図】  図１
2010250523.tif 000002
【特許請求の範囲】
【請求項１】
操作メニューに対応して設けられた釦を押圧操作することにより所望の操作を行う第１操作手段と、
上記操作メニューが表示された画面と、該操作メニューが表示された画面上の位置に対応して設けられた磁気センサを有し、磁気ペンによって指示された該画面の位置を上記磁気センサによって検出し、この検出された位置に基づいて該操作メニューを決め所望の操作を行う第２操作手段と、
水深を検出する水深検出手段と、
上記水深検出手段で検出された水深が所定値よりも浅いとき上記第１操作手段を選択し、上記水深検出手段で検出された水深が該所定値以上深いとき上記第２操作手段を選択する選択手段と、
を備えたことを特徴とする電子機器の情報入力装置。
【請求項２】
上記水深検出手段で検出された水深が上記所定値より浅いとき、上記第１操作手段のみ有効にするか、又は上記第１操作手段と上記第２操作手段を切り替え可能にするかを選択する切替手段を更に備えたことを特徴とする請求項１に記載の電子機器の情報入力装置。
【請求項３】
押圧操作により情報を入力する押圧釦と、
二次元的に配置された複数の磁気センサを有し、磁気ペンによって指示された画面上の位置を上記磁気センサによって検出し、これによって上記情報を入力する磁気検出手段と、
周囲の圧力を検出する圧力検出手段と、
上記圧力検出手段で検出された圧力が所定値よりも低いときには上記押圧釦および／または上記磁気検出手段による上記情報の入力を選択し、上記圧力検出手段で検出された圧力が該所定値以上高いときには上記磁気検出手段による上記情報の入力を選択する選択手段と、
を備えたことを特徴とする電子機器の情報入力装置。
【請求項４】
上記選択手段は、上記圧力検出手段で検出された圧力が該所定値以上高いときには、上記押圧釦による情報入力を禁止することを特徴とする請求項３に記載の電子機器の情報入力装置。
【請求項５】
上記選択手段は、上記圧力検出手段で検出された圧力が該所定値よりも低いときには、上記押圧釦のみによる上記情報の入力、または上記押圧釦および上記磁気検出手段による上記情報入力のいずれかを選択可能とすることを特徴とする請求項３に記載の電子機器の情報入力装置。
【請求項６】
操作メニューに対応して設けられた釦を押圧操作することにより所望の操作を行う第１操作手段と、上記操作メニューが表示された画面と、該操作メニューが表示された画面上の位置に対応して設けられた磁気センサと、該操作メニューを指示する磁気ペンとを有して構成され、該磁気ペンによって指示された該画面の位置に対応して設けられた該操作メニューを検出することによって所望の操作を行う第２操作手段と、水深を検出する水深検出手段とを有してなる電子機器の情報入力方法であって、
上記水深検出手段により、水深を検出するステップと、
上記水深検出手段で検出された水深が所定値よりも浅いとき上記第１操作手段を選択し、上記水深検出手段で検出された水深が該所定値以上深いとき上記第２操作手段を選択するステップと、
を有することを特徴とする電子機器の情報入力方法。
【請求項７】
圧力を検出し、
上記検出された圧力が所定値よりも低いときには、押圧釦および／または磁気検出によって情報を入力し、
上記検出された圧力が上記所定値よりも高いときには、磁気検出によって情報を入力する、
ことを特徴とする電子機器の情報入力方法。
【発明の詳細な説明】
【技術分野】
【０００１】
本発明は、電子機器の情報入力装置および電子機器の情報入力方法に関し、詳しくは、水中においてタッチ式で情報を入力可能な電子機器の情報入力装置および電子機器の情報入力装置に関する。
【背景技術】
【０００２】
カメラ等の電子機器では、動作を指示したりモード設定等、種々の情報を入力するための情報入力装置を備えている。これらの情報入力にあたっては、従来より、押し釦スイッチ等が用いられていた。また、最近ではタッチパネルも用いられるようになってきており、ＬＣＤモニタ等の表示面をタッチすることにより、簡単に情報を入力することができる。
【０００３】
タッチパネルとしては、パネル面と指等の間の静電容量の変化によりタッチされた位置を検知する静電容量方式（特許文献１参照）と、抵抗膜の抵抗変化によりタッチされた位置を検知する抵抗膜方式（特許文献２参照）がある。また、表示面に磁気センサを配置し、磁気ペンで指定した位置を検知する座標入力装置も知られている（例えば、特許文献３参照）。
【先行技術文献】
【特許文献】
【０００４】
【特許文献１】実開昭６３−１１０９３９号公報
【特許文献２】特開平８−１２３６０５号公報
【特許文献３】特開２００６―３３８５２６号公報
【発明の概要】
【発明が解決しようとする課題】
【０００５】
前述したように、カメラ等の電子機器においては、情報入力装置として、押し釦スイッチがしばしば採用されてきている。しかし、陸上のみならず、水中でもこれらの電子機器を使用する場合には、水中での水圧を考慮して、押し釦スイッチにおけるバネ圧を設定しておかなければならない。すなわち、水圧によって押し込まれないようにバネ圧を強くする必要がある。しかし、これでは陸上で使用する際にも、強い力で押し込まなければならず、使用感が悪くなってしまう。
【０００６】
押し釦スイッチに替えてタッチパネルを使用することが考えられる。しかし、抵抗膜方式のタッチパネルは水中ではパネル全体に圧力を受け、タッチ位置を検出することができない。磁気センサを利用する場合には、水中でもタッチ位置の検知を行うことができる。しかし、特許文献３に記載の座標入力装置では、片手に磁気ペンを持ち、片手に電子機器を持って操作することから、押し釦スイッチに比較して操作性が悪い。
【０００７】
本発明は、このような事情を鑑みてなされたものであり、電子機器の使用環境に合わせて操作性の高い情報入力を選択的に行うことができる電子機器の情報入力装置および電子機器の情報入力方法を提供することを目的とする。
【課題を解決するための手段】
【０００８】
上記目的を達成すため第１の発明に係わる電子機器の情報入力装置は、操作メニューに対応して設けられた釦を押圧操作することにより所望の操作を行う第１操作手段と、上記操作メニューが表示された画面と、該操作メニューが表示された画面上の位置に対応して設けられた磁気センサを有し、磁気ペンによって指示された該画面の位置を上記磁気センサによって検出し、この検出された位置に基づいて該操作メニューを決め所望の操作を行う第２操作手段と、水深を検出する水深検出手段と、上記水深検出手段で検出された水深が所定値よりも浅いとき上記第１操作手段を選択し、上記水深検出手段で検出された水深が該所定値以上深いとき上記第２操作手段を選択する選択手段と、を備える。
【０００９】
第２の発明に係わる電子機器の情報入力装置は、上記第１の発明において、上記水深検出手段で検出された水深が上記所定値より浅いとき、上記第１操作手段のみ有効にするか、又は上記第１操作手段と上記第２操作手段を切り替え可能にするかを選択する切替手段を更に備える。
【００１０】
第３の発明に係わる電子機器の情報入力装置は、押圧操作により情報を入力する押圧釦と、二次元的に配置された複数の磁気センサを有し、磁気ペンによって指示された画面上の位置を上記磁気センサによって検出し、これによって上記情報を入力する磁気検出手段と、周囲の圧力を検出する圧力検出手段と、上記圧力検出手段で検出された圧力が所定値よりも低いときには上記押圧釦および／または上記磁気検出手段による上記情報の入力を選択し、上記圧力検出手段で検出された圧力が該所定値以上高いときには上記磁気検出手段による上記情報の入力を選択する選択手段と、を備える。
【００１１】
第４の発明に係わる電子機器の情報入力装置は、上記第３の発明において、上記選択手段は、上記圧力検出手段で検出された圧力が該所定値以上高いときには、上記押圧釦による情報入力を禁止する。
第５の発明に係わる電子機器の情報入力装置は、上記第３の発明において、上記選択手段は、上記圧力検出手段で検出された圧力が該所定値よりも低いときには、上記押圧釦のみによる上記情報の入力、または上記押圧釦および上記磁気検出手段による上記情報入力のいずれかを選択可能とする。
【００１２】
第６の発明に係わる電子機器の情報入力方法は、操作メニューに対応して設けられた釦を押圧操作することにより所望の操作を行う第１操作手段と、上記操作メニューが表示された画面と、該操作メニューが表示された画面上の位置に対応して設けられた磁気センサと、該操作メニューを指示する磁気ペンとを有して構成され、該磁気ペンによって指示された該画面の位置に対応して設けられた該操作メニューを検出することによって所望の操作を行う第２操作手段と、水深を検出する水深検出手段とを有してなる電子機器の情報入力方法であって、上記水深検出手段により、水深を検出するステップと、上記水深検出手段で検出された水深が所定値よりも浅いとき上記第１操作手段を選択し、上記水深検出手段で検出された水深が該所定値以上深いとき上記第２操作手段を選択するステップと、を有する。
【００１３】
第７の発明に係わる電子機器の情報入力方法は、圧力を検出し、上記検出された圧力が所定値よりも低いときには、押圧釦および／または磁気検出によって情報を入力し、上記検出された圧力が上記所定値よりも高いときには、磁気検出によって情報を入力する。
【発明の効果】
【００１４】
本発明によれば、水深等に応じて、釦の押圧操作による第１操作と、磁気センサによって磁気ペンの位置を検知する第２操作を選択するようにしたので、電子機器の使用環境に合わせて操作性の高い情報入力を選択的に行うことができる電子機器の情報入力装置および電子機器の情報入力方法を提供することができる。
【図面の簡単な説明】
【００１５】
【図１】本発明の一実施形態に係わるデジタルカメラのブロック図である。
【図２】本発明の一実施形態に係わるデジタルカメラのホールアレイセンサを有するＬＣＤパネルの構造を示す斜視図である。
【図３】本発明の一実施形態に係わるデジタルカメラのＬＣＤパネルの構造を示す断面図である。
【図４】本発明の一実施形態に係わるデジタルカメラにおいて、磁気検出されない場合のホールアレイセンサの信号出力を示す図である。
【図５】本発明の一実施形態に係わるデジタルカメラにおいて、磁気検出された場合のホールアレイセンサの信号出力を示す図である。
【図６】本発明の一実施形態に係わるデジタルカメラにおいて使用する磁気ペンの外観斜視図である。
【図７】本発明の一実施形態に係わるデジタルカメラにおいて、ＬＣＤパネル中のＴＦＴパネルとホールアレイセンサの関係を示す図である。
【図８】本発明の一実施形態に係わるデジタルカメラにおいて、ＬＣＤパネル中のＴＦＴパネルとホールアレイセンサの関係を示す図であって、ＬＣＤパネルにメニュー表示された場合を示す。
【図９】本発明の一実施形態に係わるデジタルカメラにおいて、通常表示の動作を示すフローチャートである。
【発明を実施するための形態】
【００１６】
以下、図面に従って本発明を適用したデジタルカメラを用いて好ましい一実施形態について説明する。図１は、本発明の一実施形態に係わるデジタルカメラの主として電気回路の構成を示すブロック図である。
【００１７】
被写体からの被写体光束を結像し被写体像を形成する光学系１の結像面には撮像素子２が配置される。光学系１は、レンズや光学ＬＰＦ（ローパスフィルタ）等によって構成され、撮像素子２は、ＣＣＤ（Charge Coupled Device）センサやＣＭＯＳ（Complementary Metal Oxide Semiconductor）センサ等、フォトダイオードが２次元的に配列された固体撮像素子であり、被写体像を光電変換し、画像信号を出力する。撮像素子２は撮像素子ドライバ７に接続されており、撮像素子ドライバ７から供給される制御信号やクロックに従って、順次、電荷蓄積や電荷読み出し等を行う。撮像素子ドライバ７は、ＴＧ（Timing Generator）６からタイミングクロックの供給を受け、撮像素子２の制御信号やクロックを出力する。
【００１８】
撮像素子２の出力はＣＤＳ／ＡＧＣ（Correlated Double Sampling／Automatic Gain Control）３に接続されている。ＣＤＳは撮像素子２のリセット時に発生するノイズを消去するための二重サンプリング回路であり、またＡＧＣは撮像素子２からの画像信号のレベルを自動調整するオートゲインコントロールである。ＣＤＳ／ＡＧＣ３の出力は、Ａ／Ｄ（Analog／Digital Convertor）４に接続されている。Ａ／Ｄ４はＣＤＳ／ＡＧＣ３から出力された画像信号をアナログデジタル変換する。ＴＧ６は、ＡＳＩＣ（Application Specific Integrated Circuit）２５から信号を受け、撮像素子ドライバ７にクロック信号等を出力する。
【００１９】
Ａ／Ｄ４の出力は、ＤＳＰ（Digital Signal Processor）５に接続されており、ＤＳＰ５はＡＳＩＣ２５と信号の授受を行い、画像処理等の信号処理を行う。ＤＳＰ５の出力は、ＡＥ／ＡＦ（Automatic Exposure／Auto-Focus）回路８と、ＲＡＭ（Random Access Memory）９に接続されている。ＡＥ／ＡＦ回路８は、ＡＳＩＣ２５から制御信号を受け、ＤＳＰ５からの画像信号に基づいて、適正露光となるように露出制御を行い、また光学系１の焦点状態を検出し、被写体に対してピントが合うようにピント合わせ等を行う。ＲＡＭ９は、ＤＳＰ５において画像処理された画像データを一時記憶する。
【００２０】
ＲＡＭ９は、圧縮／伸張回路１０に接続されており、この圧縮／伸張回路１０は、ＲＡＭ９に一時記憶された画像データを圧縮し、また圧縮された画像データの伸張を行う。圧縮／伸張回路１０は記録媒体１１に接続されており、記録媒体１１は圧縮された画像データを記憶し、また記憶された画像データの読み出しを行う。ＲＡＭ９は、ＬＣＤ（Liquid Crystal Display）１２にも接続されている。ＬＣＤ１２は、デジタルカメラの背面等に配置されたモニタ画面であり、撮像素子２からの画像データに基づいてライブビュー表示、記録媒体１１に記録された画像データの再生表示、および後述するようにカメラのモード等の設定を行うメニュー画面等の表示を行う。
【００２１】
ＬＣＤ１２には、表示パネルドライバ１５とバックライトドライバ１６が接続されている。表示パネルドライバ１５は、後述する表示画像作成部３３からメニュー表示等の画像をＬＣＤ１２に表示するための駆動回路である。また、バックライトドライバ１６は、ＬＣＤ１２を表示するためのバックライトの駆動回路である。ホールアレイセンサドライバ１７はホールアレイセンサパネル１８に接続されており、ホールアレイセンサパネル１８は、複数のホール素子が２次元的に配列されている。それぞれのホール素子の磁気検知出力はホールアレイセンサドライバ１７によって読み出され、後述するホールアレイセンサＡ／Ｄ変換部３４に送られる。
【００２２】
電源２０は、デジタルカメラを動作させるための電源であり、電圧判定部１９に接続されている。電圧判定部１９は、電源２０の電源電圧が規定電圧以上か否かを判定し、判定結果をＡＳＩＣ２５内のＣＰＵ３１に出力する。ＲＯＭ（Read-Only Memory）２１は、不揮発性のメモリであり、このデジタルカメラの動作を制御するためのプログラムが記憶されている。
【００２３】
操作釦２２は、レリーズ釦や再生釦等の操作釦であり、この釦のオンオフ状態がＣＰＵ３１に出力される。圧電素子２４はデジタルカメラ本体が受けている圧力に応じた電圧を発生する素子であり、水圧を検知することにより水深を検出可能である。ＥＥＰＲＯＭ（Erasable Programmable ROM）２３は、電気的に書き換え可能なメモリであり、種々のデータを記憶可能であり、例えば、ホールアレイセンサ１８中のホールアレイセンサの表示１フレーム分のデータが格納される。
【００２４】
ＡＳＩＣ２５内には、ＣＰＵ（Central Processing Unit）３１、圧電素子Ａ／Ｄ変換部３２、表示画像作成部３３、ホールアレイセンサＡ／Ｄ変換部３４が配置されている。ＣＰＵ３１は、ＲＯＭ２１に記憶されているプログラムに従って、このデジタルカメラの全体を制御する。
【００２５】
圧電素子Ａ／Ｄ変換部３２は、圧電素子２４から入力したアナログ信号をデジタル信号に変換し、ＣＰＵ３１に出力する。表示画像作成部３３は、メニューモード等に設定された際に、ＬＣＤ１２に表示するメニュー画面の画像を作成し、前述した表示パネルドライバ１５に出力する。ホールアレイセンサＡ／Ｄ変換部３４は、ホールアレイセンサドライバ１７を介して入力した各ホール素子の検知電圧をＡ／Ｄ変換し、ＣＰＵ３１に出力する。
【００２６】
次に、ＬＣＤ１２およびホールアレイセンサパネル１８の構造について、図２および図３を用いて説明する。ＬＣＤ１２およびホールアレイセンサパネル１８は、一体に構成されており、この中には、図２に示すように、表面側から順に、ＴＦＴ（Thin Film Transistor）パネル４１、遮光シート４２、上拡散シート４３、Ｙ方向集光レンズ４４、Ｘ方向集光レンズ４５、下拡散シート４６、導光板４７、バックライトモジュール４８、反射フレーム４９、パネル枠５０が積層されている。
【００２７】
ＴＦＴパネル４１は、薄膜トランジスタ（ＴＦＴ）のスイッチングによって液晶に電圧印加を制御し、光の透過量を制御する。ＴＦＴパネル用プリント配線板４１ａは表示パネルドライバ１５やＲＡＭ９等との接続用の配線板である。遮光シート４２は、ＴＦＴパネル４１の余分な部分から光が漏れないように遮光する。
【００２８】
上拡散シート４３は、Ｙ方向集光レンズ４４やＸ方向集光レンズ４５とパネルパターンとの干渉縞や、レンズシート同士の凹凸によりパネル面から確認されるニュートンリング等のムラを消去する。Ｙ方向集光レンズ４４は、レンズ機能を有する輝度アップ用のフィルムであり、Ｘ方向集光レンズ４５や下拡散シート４６により均一に拡散された光を輝度アップのために縦方向に集光させる。
【００２９】
Ｘ方向集光レンズ４５は、レンズ機能を有する輝度アップ用のフィルムであり、下拡散シート４６により均一に拡散された光を輝度アップのために横方向に集光させる。下拡散シート４６は、導光板４７によって面光源とされた光を均一に分散（拡散）させる。導光板４７は、主として側面から入射したバックライトモジュール４８の光を前面方向に向かう面光源に変換する。
【００３０】
バックライトモジュール４８は、前述のバックライトドライバ１６によって駆動されるＬＥＤ（Light Emitting Diode）を含み、導光板４７の側面に配置され、ＴＦＴパネル４１の照明用の光源である。反射フレーム４９は、反射フィルムが貼られたフレームであり、バックライトモジュール４８のＬＥＤ光から出た光で背面に向かう光を導光板４７の方向に反射する。パネル枠５０は、前述のＴＦＴパネル４１からバックライトモジュール４８をユニット化するための枠である。通常、ＬＣＤモニタは、パネル枠５０は金属製であるが、本実施形態においては、プラスチック等の非磁性体で構成する。これによって、ホールアレイセンサパネル１８によって、磁気ペン６１のタッチ位置を測定する際に、正確に測定することができる。
【００３１】
反射フレーム４９の下側にはホールアレイセンサパネル１８が配置されている。このホールアレイセンサパネル１８は、ホール素子をアレイ構造で配置し、各ホール素子は磁気ペン６１のタッチ位置を検出する。図２におけるホールアレイセンサパネル１８と一体にホールアレイセンサドライバ１７を構成しても良く、また分離し、プリント配線板１８ａを介して接続するようにしても良い。磁気ペン６１は、図６に示す先端部６１ａと後端部６１ｂが磁気を帯びており、先端部６１ａの方が後端部６１ｂよりも磁気が強い。
【００３２】
このようにＬＣＤ１２は構成されているので、バックライトモジュール４８のＬＥＤから射出した光は、直接、もしくは反射フレーム４９によって反射されて、導光板４７に入射する。入射した光は、導光板４７によってＴＦＴパネル４１に向かって、下拡散シート４６、Ｘ方向集光レンズ４５、Ｙ方向集光レンズ４４、上拡散シートを通過する。ＴＦＴパネル４１は、メニュー表示等の表示画像に応じて薄膜トランジスタが制御されて、液晶の透過状態が変化し、透過部分の光が表面に射出して、表示画像を形成する。
【００３３】
次に、ホールアレイセンサパネル１８の構造および動作について、図４および図５を用いて説明する。ホールアレイセンサパネル１８は、複数のホール素子１８ｂを有し、これらのホール素子１８ｂは、図４（ａ）および図５（ａ）に示すように、水平方向および垂直方向に２次元的に配列されている。また、各ホール素子１８ｂの間は、防磁素材壁１８ｃが設けられており、各ホール素子１８ｂは磁気的に隔離されている。
【００３４】
このようにホールアレイセンサパネル１８は構成されているので、磁気ペン６１で指し示す位置を検知することができる。図４は、磁気ペン６１がホールアレイセンサパネル１８の近傍になく、磁気検出されない場合を示す。すなわち、図４（ｂ）に示す垂直方向位置、および図４（ｃ）に示す水平方向位置のいずれも磁気を検出しない。
【００３５】
磁気ペン６１をホールアレイセンサパネル１８に近づけると、近いホール素子１８ｂほど検知出力が大きくなる。図５（ａ）において、１８ｇが最も強い磁気を検知したホール素子であり、１８ｆは中程度の磁気を検知したホール素子であり、１８ｅは弱い磁気を検知したホール素子であり、１８ｄは磁気を検知しないホール素子を示す。
【００３６】
図５（ｂ）（ｃ）は、図５（ａ）に示す例の場合における検知出力をグラフ化したものである。図５（ｂ）は、水平方向に沿ってホール素子１８ｂの磁気検知出力であり、図５（ｃ）は垂直方向に沿ってのホール素子１８ｂの磁気検知出力である。１８ｈ、１８ｉは判定レベルを示し、ＣＰＵ３１はこの判定レベル以上の磁気検知出力が得られた領域の水平重心位置１８ｊおよび垂直重心位置１８ｋをそれぞれ求める。すなわち、水平重心位置１８ｊと垂直重心位置１８ｋを求めることにより、磁気ペン６１がどこを指したかを判定することができる。
【００３７】
ＬＣＤ１２における表示、具体的には、ＴＦＴパネル４１における表示位置と、ホールアレイセンサパネル１８のホール素子１８ｂの位置との関係は、図７に示すように対応関係がある。すなわち、各ホール素子１８ｂは、図７（ｂ）に示すように２次元的に配列されており、図７に示す例では、（１，１）〜（７，６）のアドレスが付与されている。また、ＴＦＴパネル４１の表示領域も、図７（ａ）に示すように、（１，１）〜（７，６）の領域に分割されて、それぞれアドレスが付与されている。
【００３８】
図８（ａ）は、ＴＦＴパネル４１に表示画像作成部３３によって作成されたメニュー画像が表示されている状態を示す。この例では、メニューモードとして、消音、画質設定、カメラ設定、リセット、撮影、フラッシュ、パノラマ、撮影シーン、タイマの各モードを選択するために、各モードが表示されている。また、撮影シーンが選択されていることから、「撮影」が点滅表示となっている。なお、図８（ａ）に示す例では、メニュー表示として文字で各モードを表示しているが、これに限らず、アイコンや記号等やこれらの組み合わせでも良い。また選択された場合に、点滅表示以外にも、表示色を変えたり、白抜きに変更したり等、種々の変形を行っても良い。
【００３９】
次に、本発明の一実施形態の動作を図９に示すフローチャートを用いて説明する。ここでは、通常表示の場合、すなわち、ライブビュー表示時やメニュー画面表示の場合の動作について説明する。通常表示の動作を開始すると、まず、水深１０ｍより浅いか否かの判定を行う（Ｓ１）。ここでは、圧電素子２４の出力に基づいて、水深が１０ｍよりも浅いかを判定する。なお、１０ｍは例示であり、これよりも深い値でも浅い値でも良く適宜設計事項として決めれば良い。なお、本実施形態の動作は、ＲＯＭ２１に記憶されているプログラムに従って，ＣＰＵ３１によって統括的に制御される。
【００４０】
ステップＳ１における判定の結果、水深１０ｍより浅かった場合には、次に、タッチパネルを有効とするか否かの判定を行う（Ｓ３）。水深が１０ｍより浅いことから、浅い水中か陸上の場合であり、この場合には、操作釦２２の押し釦が水圧との関係でも十分使用できる。しかし、撮影者によってタッチパネル、すなわち、磁気ペン６１でＬＣＤ１２（ＴＦＴ４１）をタッチすることで、メニュー等の設定を行うことを望む場合もある。そこで、タッチパネルを有効にする操作釦を設け、このステップでは、この操作釦が操作されたか否かを判定する。
【００４１】
ステップＳ３における判定の結果、タッチパネルを有効にしなかった場合には、通常表示釦操作を許可する（Ｓ５）。ここでは、操作釦２２の操作を許容し、ホールアレイセンサパネル１８によって磁気ペン６１による操作を無効としたままとする。通常表示釦操作を設定すると、ステップＳ１に戻る。
【００４２】
ステップＳ３における判定の結果、タッチパネルも有効にする場合には、ホールアレイセンサのパワーをオンにする（Ｓ７）。このステップではホールアレイセンサドライバ１７に電源を供給し、ホールアレイセンサパネル１８が動作するようにする。続いて、釦操作およびタッチパネル操作を可能とする（Ｓ９）。この結果、磁気ペン６１でＬＣＤ１２（ＴＦＴ４１）をタッチすることによって、メニュー設定等の種々の操作を行うことができる。また、操作釦２２を押圧操作することによっても種々の設定を行うことができる。
【００４３】
ステップＳ１における判定の結果、水深が１０ｍよりも深かった場合には、次に、「タッチパネルに切り替えます」との表示をＬＣＤ１２に行う（Ｓ１１）。水深が１０ｍよりも深い場合には、本実施形態の例では、操作釦２２が水圧により押圧状態となり正確に動作しない。そこで、タッチパネルでの情報入力に切り替えるが、このステップでは、この切り替えを撮影者に告知する。
【００４４】
続いて、釦操作無効の表示を行うと共に釦操作無効の設定を行う（Ｓ１３）。このステップでは、ＬＣＤ１２に操作釦で情報入力できないことを告知すると共に、操作釦２２からの信号を無効とする。次に、ステップＳ７と同様に、ホールアレイセンサにパワーをオンにする（Ｓ１５）。
【００４５】
ステップＳ１５においてホールアレイセンサのパワーをオンとすると、またはステップＳ９において、釦操作およびタッチパネル操作を可能とすると、次に、ホールアレイセンサパネル１８からの各ホール素子の検知出力が判定レベル１８ｈ、１８ｉ以上あるか否かの判定を行う（Ｓ１７）。
【００４６】
ステップＳ１７における判定の結果、磁気検知されていた場合には、次に、水平重心位置１８ｊと垂直重心位置１８ｋを求める（Ｓ１８）。次に、有効表示釦アドレスと、ホール素子アドレスが一致するか否かの判定を行う（Ｓ１９）。このステップでは、検出されたホール素子アドレス（図８（ｂ）参照）のアドレス（ここでは、水平重心位置１８ｊ、垂直重心位置１８ｋのアドレス）の近傍に、一致するアイコンや文字等が存在するか否かを判定する。ホール素子アドレスが検出されても、対応するアイコンや文字等がない場合があり、この場合は誤ってＬＣＤ１２をタッチされたと考えられる。
【００４７】
ステップＳ１７またはステップＳ１９における判定の結果、Ｎｏであった場合には、磁気ペン６１でＬＣＤ１２（ＴＦＴパネル４１）の表示面のアイコンや文字等がタッチされていないことから、ステップＳ１７に戻る。一方、ステップＳ１７およびステップＳ１９における判定の結果がいずれもＹｅｓであった場合には、次に、釦の操作状態を表示する（Ｓ２１）。このステップでは、タッチされたアイコンや文字等について、ユーザがタッチされたことを認識できるように、例えば、図８（ａ）に示すように点滅等で表示する。なお、ユーザが認識できる表示方法であれば、点滅以外の表示でも良い。
【００４８】
続いて、操作された釦の機能を実行および表示する（Ｓ２３）。このステップでは、タッチされたアイコンや文字等で指定されるモード等を実行する。図８（ａ）に示す例では、撮影モードが選択されたので、次に、撮影モードを設定する。なお、ステップＳ９において、釦操作を可能とした場合には、ステップＳ１７〜Ｓ２３の処理と並行して、操作釦２２の押圧操作に応じても表示や機能の実行等を行う。
【００４９】
次に、パワーオフか否かの判定を行う（Ｓ２５）。ここでは、パワースイッチの状態を検知し、この結果に基づいて判定する。この判定の結果、パワーオフでなかった場合には、ステップＳ１に戻り、一方、パワーオフであった場合には、通常表示の動作を終了し、電源をオフにする。
【００５０】
以上説明したように、本発明の一実施形態においては、水深を検出し、この水深が所定値よりも浅いときには押圧釦の押圧操作によって情報を入力し、水深が所定値よりも深い場合には、磁気センサによって指示された画面の位置を検知することにより情報入力を行うようにしている。このため、電子機器の使用環境に合わせて操作性の高い情報入力を行うことができる。つまり、水深が浅い場合には、使用感が良い釦の押圧操作によって入力し、水深が深い場合には水圧に係わりなく使用できる磁気センサによって情報入力を行うようにしている。
【００５１】
また、本発明の一実施形態においては、水深が所定値より浅いときには、釦の押圧操作のみを有効にするか、釦の押圧操作および磁気センサによる情報入力の両方を有効にするかを、切り替えて使用することができる。このため、水深が浅い場合でも、ユーザの希望によっては、磁気センサによる情報入力も行えるようにしている。
【００５２】
なお、本発明の一実施形態においては、水深は圧電素子によって測定された圧力を水深に換算して判定していたが、単に測定された水圧（＝圧力）に基づいて判定することでも良い。また、水深は圧電素子の検知出力を用いて判定していたが、これに限らず、圧力を測定できる素子であれば良い。また、磁気センサとして、ホール素子を用いていたが、これに限らず、磁気を検出できるセンサであれば良い。また、磁気を発生する媒体として、磁気ペンを用いたが、磁気を帯びたもの、例えば、指先に磁気を帯びた手袋等を用いても良い。
【００５３】
また、本発明の一実施形態においては、電子機器として、デジタルカメラを用いて説明したが、カメラとしては、デジタル一眼レフカメラでもコンパクトデジタルカメラでもよく、ビデオカメラ、ムービーカメラのような動画用のカメラでもよく、さらに、携帯電話や携帯情報端末（ＰＤＡ：Personal Digital Assist）、ゲーム機器等に内蔵されるカメラでも構わない。
【００５４】
さらに、本発明の一実施形態においては、電子機器として、デジタルカメラを例にあげたが、これに限らず、携帯可能で水中で使用する可能性のある機器であれば、デジタルカメラに限られない。
【００５５】
本発明は、上記実施形態にそのまま限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素の幾つかの構成要素を削除してもよい。さらに、異なる実施形態にわたる構成要素を適宜組み合わせてもよい。
【符号の説明】
【００５６】
１・・・光学系、２・・・撮像素子、３・・・ＣＤＳ／ＡＧＣ、４・・・Ａ／Ｄ、５・・・ＤＳＰ、６・・・ＴＧ、７・・・撮像素子ドライバ、８・・・ＡＥ／ＡＦ回路、９・・・ＲＡＭ、１０・・・圧縮／伸張回路、１１・・・記録媒体、１２・・・ＬＣＤ、１５・・・表示パネルドライバ、１６・・・バックライトドライバ、１７・・・ホールアレイセンサドライバ、１８・・・ホールアレイセンサパネル、１８ａ・・・プリント配線板、１８ｂ・・・ホール素子、１８ｃ・・・防磁素材壁、１８ｈ・・・判定レベル、１８ｉ・・・判定レベル、１８ｊ・・・水平重心位置、１８ｋ・・・垂直重心位置、１９・・・電圧判定部、２０・・・電源、２１・・・ＲＯＭ、２２・・・操作釦、２３・・・ＥＥＰＲＯＭ、２４・・・圧電素子（水深検出用）、２５・・・ＡＳＩＣ、３１・・・ＣＰＵ、３２・・・圧電素子Ａ／Ｄ変換部、３３・・・表示画像作成部、３４・・・ホールアレイセンサＡ／Ｄ変換部、４１・・・ＴＦＴパネル、４１ａ・・・ＴＦＴパネル用プリント配線板、４２・・・遮光シート、４３・・・上拡散シート、４４・・・Ｙ方向集光レンズ、４５・・・Ｘ方向集光レンズ、４６・・・下拡散シート、４７・・・導光板、４８・・・バックライトモジュール、４９・・・反射フレーム、５０・・・パネル枠、６１・・・磁気ペン
【図１】
2010250523.tif 000003
【図２】
2010250523.tif 000004
【図３】
2010250523.tif 000005
【図４】
2010250523.tif 000006
【図５】
2010250523.tif 000007
【図６】
2010250523.tif 000008
【図７】
2010250523.tif 000009
【図８】
2010250523.tif 000010
【図９】
2010250523.tif 000011